(57)【特許請求の範囲】
【請求項１】
作業装置の表面構造体（１０）であって、
第１の高さ（ｈ１）を備える少なくとも１つの第１の要素（１１）を有し、第２の高さ（ｈ２）を備える第２の要素（１２）、第３の高さ（ｈ３）を備える第３の要素（１３）を有し、
前記第２の高さ（ｈ２）が前記第３の高さ（ｈ３）よりも大きく、
更に、第１の把持領域（２１）と、第２の把持領域（２２）と、第３の把持領域（２３）とを有し、前記第１の把持領域（２１）、前記第２の把持領域（２２）および前記第３の把持領域（２３）は、人の手によって把持される領域であり、
前記要素がドットマトリックス（３４）に配置され、
前記第２の要素（１２）の中心部及び前記第３の要素（１３）の中心部が交点に配置され、前記第１の要素（１１）の中心部が、前記第２の要素（１２）または前記第３の要素（１３）が配置される交点以外に配置され、前記第１の把持領域（２１）が前記第１の要素（１１）と前記第２の要素（１２）とを含み、前記第２の把持領域（２２）が主に前記第２の要素（１２）を含み、前記第３の把持領域（２３）が主に前記第３の要素（１３）を含む、ことを特徴とする、表面構造体（１０）。
【請求項２】
前記構造体の前記ドットマトリックス（３４）が、第１の組の平行線（３１）と第２の組の平行線（３２）との交点によってもたらされる、請求項１に記載の表面構造体（１０）。
【請求項３】
前記第１の要素（１１）の３倍超の数の前記第２の要素（１２）が、前記第２の把持領域（２２）に配置される、請求項１又は２に記載の表面構造体（１０）。
【請求項４】
前記第３の要素（１３）が、前記第２の要素（１２）と数学的に相似である、請求項１〜３のいずれか一項に記載の表面構造体（１０）。
【請求項５】
前記第２の把持領域内の前記第２の要素の高さが、前記第１の把持領域からの距離が大きくなるに従って連続的に減少する、請求項１〜４のいずれか一項に記載の表面構造体。
【請求項６】
前記第１の要素の高さ（ｈ１）が前記第２の要素の高さ（ｈ２）よりも小さい、請求項１〜５のいずれか一項に記載の表面構造体。
【請求項７】
前記第１の要素の高さ（ｈ１）が前記第３の要素の高さ（ｈ３）よりも大きい、請求項１〜６のいずれか一項に記載の表面構造体。
【請求項８】
前記第３の把持領域内の前記第３の要素の高さが、前記第１の把持領域からの距離が大きくなるに従って連続的に減少する、請求項１〜７のいずれか一項に記載の表面構造体。
【請求項９】
前記第２の要素（１２）の少なくとも１つの側面、及び／又は前記第３の要素（１３）の側面が、関連するベース面と４５°未満の角度を形成する、請求項１〜８のいずれか一項に記載の表面構造体。
【請求項１０】
前記第２の要素（１２）が、平面図で半円形状である、請求項１〜９のいずれか一項に記載の表面構造体。
【請求項１１】
前記第１の要素（１１）がその長手方向軸に対して対称である、請求項１〜１０のいずれか一項に記載の表面構造体。
【請求項１２】
作業装置であって、
その外面の少なくとも１つに請求項１〜１１のいずれか一項に記載の表面構造体を有する、作業装置。
【発明の詳細な説明】
【技術分野】
【０００１】
本発明は、作業装置の表面構造体に関する。この表面構造体は、確実に表面を良好に把持できるようにすることを意図する。具体的には、この構造体は、ハンドルの表面としての使用に好適である。本明細書中に記載され、特許請求される本発明においては、非モーター駆動及びモーター駆動装置、職人用工具、家庭用器具（特にモーター駆動家庭用器具（手持ち式ブレンダー（handheld blender）、ハンドミキサー、ハンドブレンダー（immersion blender））を含む）、湿式かみそり、電気シェーバー、ヘアケア装置（ヘアドライヤー、カールアイロン、ストレートアイロン）、並びに除毛装置（特に脱毛装置）などの装置が「作業装置」と見なされてよい。本発明は、このような表面構造体を有する作業装置にも関する。
【背景技術】
【０００２】
米国特許第１，６９０，５５７号は、金属製ハンドルを有する湿式かみそりを開示する。このハンドルは円柱ロッド形状を有し、その表面に隆起部を有する。このような隆起部は、平行線のパターンを適用することにより作製され得る。その結果、隆起部はダイヤモンド形状のベース面を有し、小型のピラミッドのように見える。示されるパターンは、把持面全体に均一に適用される。このようなパターンは、主として金属面に好適である。しかし、ハンドルがぬれた状態では、握り部の付着力は最適ではない。隆起部の高さがすべて等しいため、特に１本の指が滑り落ちると、指は、同程度に把持することができない。
【０００３】
独国特許出願公開第１０  ２００４  ０５２  ６８１  Ａ１号は、多数の装置に好適であることを意図したハンドルを開示する。このハンドルは、手の内側表面にフィットするように構成される、いわゆる指圧機構を有している。したがって、このハンドルは、非常に特定の位置で保持されることを意図している。この装置が異なる位置で保持された場合、把持することは困難である。実際、異なる位置で保持された場合、この装置では、平滑なハンドルよりも更に不安定な、握り心地の悪い握り部がもたらされる。したがって、ハンドルを保持する特定の方法を提案する利点は、他の保持方法に対するハンドルの乏しい適合性を代償として達成される。
【０００４】
欧州特許出願公開第１  １２７  ５２９  Ａ１号は、ハンドル部を有する掃除機を開示する。このハンドル部は、硬質プラスチック材料と、軟質の、把持しやすいプラスチック材料とを組み合わせて作製される。軟質プラスチック材料は、ノブの形状で硬質プラスチック面を越えて突出する。したがって、ノブは、ある程度の安定性を握り手にもたらす。しかし電動式の装置では、握り部の安定性が最大であるのは、装置の電気駆動により発生をほぼ回避できない振動が限定的にだけ手に伝わるときである。しかしながら、ノブの表面よりもはるかに大きい、硬質プラスチックで作製される開示された表面は、かなりの振動を伝えるであろう。
【先行技術文献】
【特許文献】
【０００５】
【特許文献１】米国特許第１，６９０，５５７号
【特許文献２】独国特許出願公開第１０  ２００４  ０５２  ６８１  Ａ１号
【特許文献３】欧州特許出願公開第１  １２７  ５２９  Ａ１号
【発明の概要】
【発明が解決しようとする課題】
【０００６】
したがって、本発明は、先行技術の改善及び作業装置の改善された表面構造体の提供に努める。この表面構造体は、最適な保持位置をもたらしつつも、異なる保持位置を可能にして安定した握り部を可能にすること意図する。更に、この表面構造体は、作業装置の振動を限定的にだけ伝えることを意図する。
【図面の簡単な説明】
【０００７】
【図１】表面の三次元平面図を示すが、本発明による表面構造体のすべての機構を有しているわけではない。
【図２】図１に示される種類の図を示すが、この図も本発明による表面構造体のすべての機構を有しているわけではなく、具体的には、ドットマトリックスが示されている。
【図３】本発明による表面構造体の三次元平面図を示す。
【図４】図３に示される構造体の断面図を示す。
【図５】本発明による代替の表面構造体の断面図を示す。
【図６】本発明の外見を良好に示す上面斜視図を示す。
【発明を実施するための形態】
【０００８】
これらの利点を有する表面構造体は、請求項１に特許請求される表面構造体である。下位請求項の表面構造体は、特定の利点を提供する。
【０００９】
したがって、表面構造体は、少なくとも３つの要素、すなわち第１の要素と、第２の要素と、第３の要素とを有する。このような要素は、表面構造体と区別できる限り、任意の形状を有してよい。要素は、表面構造体内の凹部であってよいが、概して隆起部である。要素は、ベース面を有する。要素が表面構造体と一体に形成される限り、ベース面は、要素付近おける表面の外挿に起因する。要素は、少なくとも１つの側面も有する。例えば、要素は、球台の形状を有してよい。この場合、要素は、ベース面に加えて、限界表面を１つだけを有する。球面のこの表面は、本明細書において側面として指定される。しかし、要素は、ピラミッド形状であってもよい。この場合、要素は、例えば４つの側面を有する。
【００１０】
要素は、一定の高さを有する。この高さは、要素の最高地点からベース面までが測定される。（凹部を示す要素については、表面より下の最低地点が対応して使用されるが、この場合も、得られる値は高さと称される。）
更に、表面構造体は異なる把持領域を有する。これらの把持領域は、互いに隣接していても、互いに離れて配置されていてもよい。
【００１１】
更に、本発明によると、要素は、ドットマトリックスに整列される。このようなドットマトリックスは、例えば、２組の平行線の交点によって決定されてよい。この場合、隣接する４点がダイヤモンドを囲む。平行線の組が互いに垂直に位置する場合、隣接する４点は、矩形又は正方形を囲む。曲線を使用してドットマトリックスをもたらすことも可能である。
【００１２】
本発明によると、第２の要素の中心部及び第３の要素の中心部は、この時、ドットマトリックスの点に配置されている。要素の中心部は、要素（要素の所与の均質な塊）の重心であると理解される。ここで、要素は、今度は要素付近における表面の外挿に起因し得る、ベース面によって制限されると考えられる。
【００１３】
第１の要素の中心部は、残りの要素の中心部とは異なり、ドットマトリックスに配置されていない。第１の要素の中心部は、ドットマトリックスの点の間の接続線に配置されてよい。
【００１４】
本発明によると、第１の把持領域は第１の要素と第２の要素とを含み、第２の把持領域は主に第２の要素を含み、第３の把持領域は主に第３の要素を含む。
【００１５】
請求項２による本発明の展開では、ドットマトリックスは平行線によってもたらされる。これにより、画定しやすく、本発明の容易な実現を促進し、また本発明の機械ベースでの実施に関してコスト優位性を提供するドットマトリックスがもたらされる。更に、このようなドットマトリックスは、特に見やすい方法で把持領域を画定でき、したがって人間工学的に有利な方法で直感的な把持を促進する。
【００１６】
請求項３による本発明の展開によると、第２の把持領域は、第１の要素の３倍の数の第２の要素を含む。このようにして、第２の把持領域は、特に明確に第１の把持領域から際立つ。具体的には、これらが手とのより強い摩擦を生み出すため、第１の把持領域内の第１の要素は、特に安定した把持を実現できる。しかし、ここでも伝わる振動が増加する。したがって、第２の把持領域内の第１の要素の数を少ないままとするか、第２の把持領域内に第１の要素を全く設けないことが有利であり得る。
【００１７】
請求項４による本発明の展開では、第３の要素は、第２の要素と数学的に相似である。すなわち、第３の要素は、本質的に第２の要素を縮小したものである。相似の要素を選択することによって、第２の把持領域と第３の把持領域との間の特に円滑な遷移がもたらされる。したがって、ハンドルを理想的に保持していない場合でも、安定で、快適な把持が可能である。
【００１８】
請求項５による本発明の展開では、第１の把持領域から距離が大きくなるにつれて、第２の把持領域内の第２の要素の高さが連続的に減少する。その結果、連続的な高さの減少は把持領域の特に円滑な遷移を可能にする。したがって、完全に理想的とはいえないハンドルの保持方法に関して、一定の許容度をもたたらす。特に作業装置を素早く把持する場合、手は、必ずしも直ちに理想的な保持位置を見つけるわけではない。
【００１９】
請求項６による本発明の展開では、第１の要素の高さ（ｈ１）は、第２の要素の高さ（ｈ２）よりも小さい。この展開によると、第２の把持領域と第１の把持領域との間の特に有利な遷移が存在する。したがって第１の把持領域内の最も高い要素は、高さｈ２を有する要素でもある。したがって第１の把持領域及び第２の把持領域における最大高さは、第２の要素によって等しく決定される。しかし、しっかり把持した手は、第１の要素にも接触する。したがって、たとえｈ１がｈ２より低くても、第１の把持領域は、特に安定な把持をもたらす可能性が最も高いであろう。
【００２０】
請求項７による本発明の展開では、第１の要素の高さ（ｈ１）は、今度は第３の要素の高さ（ｈ３）よりも高い。したがって、換言すれば、第３の要素の高さ（ｈ３）は第１の要素の高さ（ｈ１）よりも低く、本発明によると、また第２の要素の高さ（ｈ２）よりも低い。したがって、これらの第３の要素は、むしろ表面が過度に滑りやすくならないようにするための補助要素として機能する。しかし、直感的には、表面構造体のユーザーは、第３の要素の高さが特に低ければ、第３の要素の領域内のハンドルを把持することはないであろう。
【００２１】
請求項８による本発明の展開によると、第１の把持領域からの距離が増加するにつれて、第３の把持領域内の第３の要素の高さが連続的に減少する。このようにして、見て美しい表面を作製できるが、作業上の安全性を増加させるために、この表面では、第３の把持領域だけ又は主に第３の把持領域を把持するわけではない。
【００２２】
請求項９による本発明の展開によると、第１の要素、及び／又は第２の要素、及び／又は第３の要素のそれぞれのベース面とこれらの要素の少なくとも１つの側面との間の要素の角度は、４５°未満である。好ましくは、この条件は、第１の把持領域の中心部から最も遠い位置から測定される、要素のベース面と側面との間の角度によって満たされる。本発明によると、対応する角度は３０°より小さい、又は２０°より小さい、又は１０°より小さくてもよい。好ましくは、この条件は要素のベース面と側面との間の角度によっても満たされてもよく、曲面の頂点から最も離れて配置されている、ベース面とその側面との間の角度が測定される。本発明によると、対応する角度は３０°より小さい、又は２０°より小さい、又は１０°より小さくてもよい。
【００２３】
請求項１０による本発明の展開によると、表面の平面図で本質的に半円形状である、又は弓形若しくは半円の周囲に対称的に配置される要素を使用することも可能である。このような要素は、把持しやすく、高い把持安定度をもたらすことが判明している。
【００２４】
請求項１１による本発明の展開によると、第１の要素は、長手方向軸に対して対称であるように選択される。これもまた、安定な握り部を有し、見て美しい要素をもたらす。
【００２５】
図１は、第１の把持領域（２１）、第２の把持領域（２２）、及び第３の把持領域（２３）内の第１の要素（１１）、第２の要素（１２）、及び第３の要素（１３）の配置に好適な表面を示す（これらの要素は、図にまだ示されていない）。個々の把持領域におけるこれらの要素を配置するために、第１に、表面にドットマトリックスが設けられる。このドットマトリックスは、平行線の組によって作製されることができる。平行線の第１の組３１及び平行線の第２の組３２が示される。第１の組及び第２の組のそれぞれの線は、互いに垂直であり、互いに等距離である。このようにして、４点が正方形を囲むドットマトリックスがもたらされる。示される表面は、方向Ｗ（表面はこの方向に沿って湾曲する）と、方向Ｆ（表面はこの方向では平坦である）とを有する。
【００２６】
図２は、図１の平行線を使用して得られたドットマトリックス３４を示す（この図においても、これらの線は示されていない）。
【００２７】
図３は、本発明による表面構造体１０を示す。この表面構造体は、図１及び図２による表面に配置され、この表面はＷ方向に沿って湾曲し、Ｆ方向に沿って平坦である。示されている部分の中心部には、第１の把持領域２１が配置されている。第１の把持領域２１に隣接して第２の把持領域２２が存在し、今度は第２の把持領域２２に隣接して第３の把持領域２３が存在する。
【００２８】
第１の把持領域２１は、二次ベース面上にピラミッド形状の第１の要素１１を多数含む。ベース面の中心部は、いずれの場合でもドットマトリックスの点に配置される。第１の把持領域２１では、第１の要素１１がドットマトリックスの各２点の間の接続線に沿って配置される。第１の要素１１の高さは、第２の要素１２よりも短い。第１の要素１１は、その長手方向軸に関して対称であり、この長手方向軸は、いずれの場合でもドットマトリックスの２点を結ぶように配向されている。
【００２９】
第２の把持領域２２は第２の要素１２だけを含み、第１の要素１１を全く含まない。示される第２の要素１２の形状は、第１の把持領域２１内の第２の要素１２の形状と同一である。
【００３０】
第３の把持領域２３は、第３の要素１３を含む。これらの要素もまたピラミッド形状である。第３の要素１３は、第２の要素１２と同様に、二次ベース面上のピラミッドである。ここでは、第３の要素１３は、数学的意味においても要素１２と相似である。したがって、これらは、第２の要素１３を縮小したものである。
【００３１】
図４は、図３の断面図を示す。面法線Ｎは、第１の把持領域２１の中心部を通過する。ここには、高さｈ２を有する第２の要素１２と同様に、高さｈ１を有する第１の要素１１が配置される。高さｈ２は高さｈ１よりも大きい。第２の把持領域２２に隣接して、第２の要素１２だけが設けられる。これらは、第１の把持領域２１内の第２の要素と同じ高さｈ２を有する。第３の把持領域２３に隣接して、高さｈ３を有する第３の要素１３が設けられる。高さｈ３は高さｈ２よりも小さい。
【００３２】
示される実施形態では、高さｈ２は第２の把持領域全体で一定であり、高さｈ３は第３の把持領域全体で一定である。高さの連続的な減少も考えられる。この場合、第２の要素の高さは、第１の把持領域２１内で既に連続的に減少している場合があり、この減少が第２の把持領域２２においても続く場合がある。また、第２の要素の高さは、２つの把持領域間の遷移部において、第３の要素１３が隣接する第２の要素と同じ高さを有するように、第３の把持領域２３への遷移方向で連続的に減少する場合がある。
【００３３】
図５は図４に示される種類の図を示し、本発明の別の実施形態を示す。第１の要素１１及び第２の要素１２は、第１の把持領域２１に配置される。これらの第２の要素は、ベース面と側面との間に角度βを有する。角度βは、いずれの場合でも、第１の把持領域の中心部から離れるように配向される側面で測定される。第２の要素１２は、第２の把持領域２２でも示される。これらの要素では、対応する角度（β１）は、第１の把持領域の角度よりも小さい。更に、第３の要素１３が第３の把持領域に示される。これらの要素では、対応する角度（β２）が、今度は第２の把持領域の角度よりも小さい。したがって角度βの大きさは、角度の頂点から第１の把持領域の中心部への距離が増加するに従って減少する。この距離は、角度αによって測定され得る。本発明の状況においては、頂点からの距離が増加するにつれて、対応する角度αの角度だけ減少することは、角度βにとって有益であり得る。
【００３４】
図６は、本発明による表面構造体の一部の斜視図を示す。この部分では、領域２１が把持領域として特に好適である。この部分は、例えば親指支持部として機能する。その結果、親指は、手の他の部分よりも高い圧力をこの領域に加えることになる。しかし、手のこれらの部分は、領域２２及び２３に配置され、握り部をより安定させる。しかしながら、把持中心部２１から更に離れた表面部分では、作業装置と握り手との関係は、それほど安定していない。これは、振動の伝わり方が小さくなるという利点を有する。示される把持パターンは、より高い圧力を領域２１に加えるために親指が一般に常にこの領域に配置される限りにおいて直感的である。一方、別の指又は手の別の領域を領域２１に配置して、表面構造体が多数の把持位置を提供できるようにすることも可能である。
【図１】
0005405651.tif 000002
【図２】
0005405651.tif 000003
【図３】
0005405651.tif 000004
【図４】
0005405651.tif 000005
【図５】
0005405651.tif 000006
【図６】
0005405651.tif 000007